(57)【要約】装身具チェーンがリンク４，５を含み、該リンクが、２個づつ連結されている。前記チェーンは、溶接及び／又は鑞付けにより互いに組立てられた２個のリンク半体４ａ，４ｂをそれぞれ含む複数第１リンク４で構成されている。該第１リンク４は、それぞれ実質的に１平面Ｘ，Ｙ内に延在し、かつピン７により隣接リンク５に旋回可能に結合され、該ピンのすべてが、第１リンクの各平面Ｘ，Ｙと平行である。装身具チェーンは、また第２リンク５を含み、該第２リンクは第１リンクと交互に結合され、実質的に、各々が隣接第１リンクに対し直角の平面内に延在している。
2004520910.tif 000002
【特許請求の範囲】
【請求項１】
２個づつ連結されたリンク（４，５）を含む装身具チェーンであって、該装身具チェーンが、互いに組立てられる２個のリンク半体（４ａ，４ｂ）を各々有する複数の第１リンク（４）を含み、各第１リンク（４）が、実質的に平面（Ｘ，Ｙ）内に延在し、かつ旋回軸（７）を介して隣接するリンク（５）に旋回可能に連結されており、該旋回軸（７）が、すべて前記第１リンクの各平面（Ｘ，Ｙ）と平行である装身具チェーンにおいて、
前記装身具チェーンが、第２リンク（５）をも含み、
該第２リンク（５）が前記第１リンク（４）とは異なっており、かつ前記第１リンク（４）と交互に配置され、
前記第２リンク（５）の各々が連続的なリング形状をなし、かつ実質的に平面（Ｙ，Ｚ）内に延在し、
前記第２リンク（５）の各平面（Ｙ，Ｚ）が，隣接する前記第１リンク（４）の平面（Ｘ，Ｙ）に対し実質的に直角であり、
前記各第１リンクのリンク半体（４ａ，４ｂ）が、溶接及び／又は鑞付けにより互いに組立てられており、それによって、材料の連続したリング形状が形成されていることを特徴とする装身具チェーン。
【請求項２】
前記第２リンク（５）が、それぞれ、前記第２リンクの平面（Ｙ，Ｚ）に対し直角に開けられた２つの貫通穴（１８）を含み、
前記第１リンク（４）が、それぞれ、前記旋回軸を形成する２個のピン（７）を含み、該ピンが、互いに平行で、かつ前記第１リンクの平面と平行であり、
前記第１と第２のリンクが、前記第２リンクの貫通穴（１８）に前記第１リンクのピン（７）を嵌め込むことにより、２個づつ連結されている請求項１に記載された装身具チェーン。
【請求項３】
前記第１リンクの内側へ向かって開いており、かつ前記第１リンクを形成する２個の前記リンク半体（４ａ，４ｂ）の各々に形成されている２個の盲穴（１１）へ、前記各第１リンク（４）のピン（７）が、それぞれ、挿入されている請求項２に記載された装身具チェーン。
【請求項４】
前記第１リンク（４）の各ピン（７）が、前記第１リンクを形成する２個の前記リンク半体（４ａ，４ｂ）に、溶接又は鑞付けによって固定されている請求項２又は請求項３に記載された装身具チェーン。
【請求項５】
前記各第１リンク（４）が２つの切欠き部（８）を含み、該切欠き部が前記第１リンク（４）の内側へ開いており、かつ前記第１リンクのピン（７）の１個が前記各切欠き部を横断しており、前記切欠き部の各々が、一部は、前記第１リンクを形成する前記リンク半体の一方（４ａ）に、一部は、前記第１リンクを形成する他方の前記リンク半体（４ｂ）に形成されている請求項２から請求項４までのいずれか１項に記載された装身具チェーン。
【請求項６】
前記各第１リンクを形成するリンク半体（４ａ，４ｂ）が、前記第１リンクの２つの切欠き部の各々で、両端面（６ａ，６ｂ）を介して相互接触することにより、前記各第１リンク（４）に、隣接する前記第２リンク（５）の内側を貫通する部分（１０）が形成されている請求項５に記載された装身具チェーン。
【請求項７】
前記端面（６ａ，６ｂ）が相互嵌め合いにより互いに協働している請求項６に記載された装身具チェーン。
【請求項８】
前記端面（６ａ，６ｂ）が互いに溶接されている請求項６又は請求項７に記載された装身具チェーン。
【請求項９】
前記各第２リンク（５）の貫通穴（１８）が末広がりの端部を有する請求項２から請求項８までのいずれか１項に記載された装身具チェーン。
【請求項１０】
前記各第２リンク（５）の貫通穴（１８）の前記末広がりの端部が、前記第２リンクに形成された溝部（１７）にそれぞれ開いており、該溝部が、前記第２リンクの該溝部の形成されている部分（１６）に対し、実質的に直角方向（Ｙ）に延在している請求項９に記載された装身具チェーン。
【請求項１１】
前記リンク（４，５）が、２軸線づつ直角である３軸線（Ｘ，Ｙ，Ｚ）に沿って、隣接するリンクに対し前記各リンクが５〜３０度の隙間角が可能になるように十分な遊びをもって互いに連結されている請求項１から請求項１０までのいずれか１項に記載された装身具チェーン。
【請求項１２】
前記隙間角が１０〜２０度である請求項１１に記載された装身具チェーン。
【請求項１３】
前記第１と第２のリンク（４，５）が、すべて環形状を有しており、前記各リンクが内側空間を含み、該空間が、前記リンクの平面に属する直交する２方向で測定すると、１個のリンク厚さ（ｅ）の２倍の大きさの寸法（ｌ）を有し、前記リンクが、それぞれ隣接するリンクの内側空間を貫通している請求項１から請求項１２までのいずれか１項に記載された装身具チェーン。
【発明の詳細な説明】
【技術分野】
【０００１】
本発明は、装身具チェーンに関するものである。
より詳しく言えば、本発明は、２個づつ連結されたリンクを含む装身具チェーンに係わり、該チェーンが、相互に組立てられる２つのリンク半体を各々含む第１リンクを含み、第１リンクが、各々、実質的に一平面内に延在し、かつ隣接リンクに旋回軸を介して旋回可能に連結されており、該旋回軸が、すべて第１リンクの各平面と平行である装身具チェーンに関するものである。
【背景技術】
【０００２】
ＥＰ−Ａ−０３１３７１１号には、この形式の装身具チェーンの一例が開示されている。この装身具チェーンは第１リンクのみを含み、これら各第１リンクの２つのリンク半体は、リンク半体にそれぞれ形成された２つの溝部の簡単な相互係合によって相互組立てられ、リンク半体は、ピンに遊びを持たずに取り付けられることにより、互いに解離が防止される。ピンは、すべて平行であり、かつリンクを互いに連結させる。
この取付け形式は、ある場合には望ましいチェーン形式、すなわち隣接リンクが互いに直角であるチェーン形式には適用できない欠点を有する。
【０００３】
更に、チェーンが、リンク半体に遊びを持たずにピンによる連結だけで相互連結されるので、前記の取付けは、時として弱いものとなる。
最後に、先行技術のこのチェーンは、互いに完全に平行なピンを中心として旋回する以外に、リンク間の相対運動が不可能であるが、実際には、ある程度の運動の自由が望ましい場合がある。
【特許文献１】ＥＰ−Ａ−０３１３７１１号公報
【発明の開示】
【発明が解決しようとする課題】
【０００４】
したがって、本発明の目的は、とりわけ、前記欠点を除去し、以下の装身具チェーンを提供することにある。
隣接するリンクが、適当であれば、相互いに直角をなし、好ましくは互いに連結される一方、各リングの中心に空の空間が残された実質的に等寸法のリング形状である。
好ましくは、前記の先行技術によるチェーンより大きな機械的強度を有する。
適当であれば、隣接リンク間で、多数の回転軸を中心として一定自由度の運動が可能である。
【課題を解決するための手段】
【０００５】
この目的を達成するために、本発明による当該装身具チェーンは、以下の特徴を有する。すなわち、該装身具チェーンは、第２リンクをも含み、該第２リンクが、第１リンクと異なっており、かつ第１リンクと交互に配置され、第２リンクの各々が、連続的な１つのリング形状をなし（この連続は、適当であれば、数片を互いに溶接又は鑞付けすることで達成できる）、かつ実質的に一平面内に延在しており、これらの第２リンクの各平面は、隣接する第１リンクの平面と実質的に直角であり、各第１リンクのリンク半体が、溶接及び／又は鑞付けにより互いに組立てられ、それによって材料の連続するリング形状をなしている。
【０００６】
これらの構成により、以下の装身具チェーンが得られる。
リンクが２個づつ実質的に直角に保持され、リンクが、適当であれば、すべて実質的に等しく、かつ互いに連結される一方、前記リンクの中央には自由空間が残されている。
第１と第２のリンクが、それぞれ、材料の連続したリング形状をなすため、大きい強度を有する。
適当であれば、旋回軸を中心として単純な旋回の外にリンク間に遊びが存在し、それによりチェーンが、より大きなたわみ性を有する。
【０００７】
本発明の好適実施例の場合、適当であれば、更に以下の構成の１つの及び／又は他の構成を用いることができる：
第２リンクが、それぞれ、第２リンクの平面に対して直角に開けられた２つの貫通穴を含み、かつ第１リンクが、それぞれ、２個のピンを含み、該ピンが互いに平行かつ第１リンクの平面と平行であり、第１リンクのピンが第２リンクの貫通穴に係合することで、第１と第２のリンクが、それぞれ連結される。
盲穴が、第１リンクの内側へ向かって開き、かつ第１リンクを形成する２つのリンク半体の各々に形成されており、各第１リンクのピンが、各々、２つの盲穴に嵌め込まれる。
【０００８】
第１リンクの各ピンが第１リンクを形成する２個のリンク半体に溶接又は鑞付けで固定される。
各第１リンクが２つの切欠き部を含み、該切欠き部が、第１リンクの内側へ向かって開き、かつ第１リンクのピンの１つにより横断され、切欠き部の各々が、一部は、第１リンクを形成するリンク半体の一方に形成され、一部は、第１リンクを形成する他方のリンク半体に形成される。
各第１リンクを形成するリンク半体が、第１リンクの２つの切欠き部の各々の２つの端面を介して相互接触している。
【０００９】
各第１リンクが隣接する第２リンクの内側を貫通する部分を含むように、前記端面が相互嵌め合いにより協働する。
前記端面が互いに溶接される。
各第２リンクの貫通穴が末広がり状に端部に向かって広がっている。
各第２リンクの貫通穴の末広がりになった端部が、それぞれ、前記第２リンクに形成された溝部に開いており、これらの溝部が、第２リンクの溝部の形成された部分に対し実質的に直角方向に延在する。
前記リンクが、２軸づつが直角をなす３軸線に沿って、隣接するリンクに対し各リンクが、５〜３０度の隙間角を有するのに十分な遊びをもって互いに連結される。
【００１０】
前記隙間角が１０〜２０度である。
前記第１と第２のリンクが環形状を有し、各リンクが空の内側空間を含み、該空間が、リンクの平面に属する２直角方向で測定して、１個のリンク厚さの２倍の大きさの寸法を有し、前記リンクが、それぞれ隣接するリンクの内側空間を貫通する。
本発明のこの他の特徴及び利点は、添付図面を参照して、実施例の１つを以下に説明することにより明らかになるが、該実施例は、本発明を限定するものではない。
【実施例】
【００１１】
図面では、同じ部材又は類似部材には同じ符号が付されている。
図１は、本発明の１実施例によるチェーン２を含むブレスレット１を示し、チェーン２には、図に示す実施例では、飾り３が保持されている。
図２に示すように、チェーン２は、第１および第２の金属製環状リンク４，５を交互に連結して形成され、該リンクは、２個づつ連結され、２個づつが実質的に直交する。これらのリンク４，５は、この場合、すべて概ね形状が同じであり、すなわち実質的に方形で角隅部に丸みが付与されており、互いに貫通する一方、各リンクの中央部は自由空間となっている。この自由空間は、リンクの太さよりも大きな寸法であることが好ましい。より一般的に言えば、各リンク４，５の中央の空間は、該リンクの平面に含まれる互いに直角の２方向において、リンクの厚さｅより大きい寸法ｌ（エル）を有する。図に示す実施例では、空の空間の寸法ｌ（エル）は、当該リンク４，５の２方向Ｘ，Ｙ又はＹ，Ｚで等しいが（図３及び図５）、適当であれば、この状況は変更してよい。同じように、各リンク４，５の厚さは、この場合、前記リンクの平面内で測定しても、該平面に対し直角方向で測定しても、等しいが、適当であれば、この状況は変更してもよい。
【００１２】
図３に、第１リンク４のうちの１個が示される。第１リンク４は、２個のリンク半体４ａ，４ｂから成り、リンク半体の各々が平面Ｘ，Ｙ内に延在し、該平面内のＸ，Ｙは、リンク４の側部９，１０とそれぞれ平行な２つの直交する軸線である。
２個のリンク半体４ａ，４ｂ間の結合部６では、リンク４の対向する両側部１０に、リンクの内側へ向いて開いた切欠き部８が形成されている。これらの切欠き部８の各々を、金属製のピン７が横切っており、該ピンは、リンクの対応する側部１０の長手方向軸線Ｘと平行であり、リンク４，５間の旋回軸となる。
図４に詳細に示すように、２個のリンク半体４ａ，４ｂの各々は、リンク４の完全な対向する両側部９と、対向両側部半体、すなわちリンク半体４ａの場合は側部半体１０ａ、リンク半体４ｂの場合は側部半体１０ｂとで形成される。
【００１３】
リンク半体の側部半体１０ａ，１０ｂは、それぞれ、各切欠き部８の２つの半体８ａ，８ｂを形成し、リンク半体の組立て時に結合部６を形成する対向端面６ａ，６ｂまで、互いの方へ延在している。
更に、リンク半体４ａ，４ｂの各々は、２つの盲穴１１を含み、該盲穴は、リンクの内側へ向かって開いており、該盲穴内へは、ピン７の端部７ａ，７ｂが嵌め込まれる。
各ピン７の端部の一方の端部は、リンク４の取付け前に、２個のリンク半体４ａ，４ｂの一方の対応する盲穴１１に嵌め込み、溶接される一方、各ピンの反対側の端部には、鑞滴１４が溶融状態で被着され、凝固せしめられる（図４に示した実施例では、各リンク半体４ａ，４ｂがそれぞれ対応するリンクのピンの１個に取付けられるが、もちろん２個のピン７を、始めに片方のリンク半体に取付けてもよい）。
【００１４】
次に、チェーン２を形成する場合、後述するように、ピン７が第２リンク５に嵌め込まれ、鑞滴１４の付着したピン端部が対応する盲穴１１に嵌め込まれる（好ましくは強制的に）ことにより、リンク４のリンク半体４ａ，４ｂが組立てられる。
このように作られたチェーン２は、次に、鑞滴１４の融点を超えて加熱され、鑞滴が溶融される。このようにして、冷却後、第１リンク４を形成するリンク半体４ａ，４ｂが、溶接及び鑞付けにより組立てられ（適当であれば、ピン７の両端を鑞付けして組立てることもできる）、これにより、第１リンク４は、それぞれ、材料が連続する１個のリング形状となり、すぐれた機械的強度を有する。
【００１５】
好ましくは、側部半体１０ａ，１０ｂの端面６ａ，６ｂの一方にスパイク１２を備え、他方の端面にはスパイク１２を受容する盲穴１３を備え、リンク半体４ａ，４ｂの組立て時に嵌め合わせてもよい。この嵌め合わせは、一方では、リンク半体の適切な位置決めをする効果を有し、他方では、リンク４の機械的強度を更に増強するのに役立つ。
適当であれば、リンク半体の組立て後に、端面６ａ，６ｂを溶接することもできる。適当であれば、この溶接は、ピン７の端部の溶接及び／又は鑞付けに代えることもできる。
【００１６】
更に、図５に示すように、チェーン２の各第２リンク５は、実質的に平面Ｙ，Ｚ内に延在し（Ｚは前記の軸線ＸとＹに対し直角の軸線である）、第１リンク４の側部９と平行な軸線Ｙに沿って延在する対向する両側部１５と、第１リンクの側部１０の長手方向軸線Ｘに対し実質的に直角の軸線Ｚに沿って延在する対向する両側部１６とを有する。
第２リンク５の側部１６の各々は、実質的にその中央に、軸線Ｙと実質的に平行な溝形状の２つの補強部１７を有し、各側部１６の溝部１７は、第２リンク５の中央平面Ｙ，Ｚに対し実質的に対称的に配置される。これらの溝部の各々の中心には、軸線Ｘと平行に貫通穴１８が形成される。
【００１７】
図６と図７に詳細に示すように、各貫通穴１８は、遊びをもって、隣接第１リンク４のピン７の１個を受容している。更に、貫通穴１８は、好ましくは、両端が末広がり形状を有し、貫通穴１８の中央部から、溝部１７に開いている端部にかけて末広がりになっている。最後に、第２リンク５の各側部１６は、遊びをもって、対応する第１リンク４の対応する切欠き部８内に受容される。
これらの構成により、各第２リンク５は、嵌め込まれている各ピン７の軸線Ｘを中心として旋回できるだけではなく、制限された隙間（例えば３０度、好ましくは１０〜２０度）をもって、隣接第１リンク４に対し軸線Ｙ，Ｚを中心として旋回できる。
【図面の簡単な説明】
【００１８】
【図１】本発明の１実施例によるチェーンを含むブレスレットの略図。
【図２】図１のブレスレットに属するチェーンの拡大斜視図。
【図３】図２のチェーンの第１リンクの詳細図。
【図４】図３の第１リンクを製造する手順を示す図。
【図５】図２のチェーンの第２リンクの詳細図。
【図６】図５のＶＩ−ＶＩ線に沿って裁断した図２のチェーンの部分断面図。
【図７】図６のＶＩＩ−ＶＩＩ線に沿って裁断した部分断面図。
【符号の説明】
【００１９】
１  ブレスレット
２  チェーン
３  飾り
４  第１リンク
４ａ，４ｂ  リンク半体
５  第２リンク
６  結合部
６ａ，６ｂ  対向端面
７  ピン
７ａ，７ｂ  ピンの端部
８  切欠き部
８ａ，８ｂ  切欠き半体
９，１０  第１リンクの側部
１０ａ，１０ｂ  リンク半体の側部半体
１１  盲穴
１２  スパイク
１３  盲穴
１４  鑞滴
１５，１６  第２リンク側部
１７  溝部
１８  貫通穴
【国際公開パンフレット】
2004520910.tif 000003
2004520910.tif 000004
2004520910.tif 000005
2004520910.tif 000006
2004520910.tif 000007
2004520910.tif 000008
2004520910.tif 000009
2004520910.tif 000010
2004520910.tif 000011
2004520910.tif 000012
2004520910.tif 000013
2004520910.tif 000014
2004520910.tif 000015
2004520910.tif 000016
2004520910.tif 000017
【国際調査報告】
2004520910.tif 000018
2004520910.tif 000019
2004520910.tif 000020
2004520910.tif 000021
2004520910.tif 000022
2004520910.tif 000023